(57)【要約】【課題】着座位置とこの着座位置より車両後方領域に後下がり状態となる格納位置との間で変位するシートクッションと、起立状態となるシートバック着座位置と、シートクッションの着座位置での存在領域に倒伏状態となる格納位置との間で変位するシートバックとを構成要素とするシートにおいて、その着座姿勢と格納姿勢との間の姿勢変更のためのシート構成部材の移動において生じうる干渉を避けてできるだけ短い移動軌跡でシート姿勢変更が実現する技術を提供する。【解決手段】シートの着座姿勢からシートの格納姿勢への移行制御またはシートの格納姿勢からシートの着座姿勢への移行制御が、シートクッションとシートバックとの干渉が回避されるように、シートクッションとシートバックとの同時変位を含む変位制御が行われる。【選択図】図４
2011042294.tif 000002
【特許請求の範囲】
【請求項１】
シートクッションとシートバックとを有する車両用シートの姿勢を変更するシート姿勢変更装置であって、
前記シートクッションはシートクッション着座位置と前記シートクッション着座位置より車両後方領域に後下がり状態となるシートクッション格納位置との間で変位制御可能であり、
前記シートバックは、起立状態となるシートバック着座位置と、前記シートクッション着座位置での前記シートクッションの存在領域に倒伏状態となるシートバック格納位置との間で変位制御可能であり、
前記シートクッション着座位置でのシートクッションと前記シートバック着座位置でのシートバックとによって前記シートの着座姿勢が作り出されるとともに、前記シートクッション格納位置のシートクッションと前記シートバック格納位置のシートバックとによって前記シートの格納姿勢が作り出され、
前記シートの着座姿勢から前記シートの格納姿勢への移行制御または前記シートの格納姿勢から前記シートの着座姿勢への移行制御が、前記シートクッションと前記シートバックとの干渉が回避されるように、前記シートクッションと前記シートバックとの同時変位を含む変位制御が行われるシート姿勢変更装置。
【請求項２】
前記シートの着座姿勢から前記シートの格納姿勢への移行制御の開始時に、前記シートバックのシートバック着座位置からシートバック格納位置への変位が前記シートクッションのシートクッション着座位置からシートクッション格納位置への変位に先立って行われる請求項１に記載のシート姿勢変更装置。
【請求項３】
前記シートの格納姿勢から前記シートの着座姿勢への移行制御の開始時に、前記シートバックのシートバック格納位置からシートバック着座位置への変位が前記シートクッションのシートクッション格納位置からシートクッション着座位置への変位に先立って行われる請求項１または２に記載のシート姿勢変更装置。
【請求項４】
前記シートの着座姿勢から前記シートの格納姿勢への移行制御の開始時に、前記シートバックのシートバック着座位置からシートバック格納位置への変位と前記シートクッションのシートクッション着座位置からシートクッション格納位置への変位とが同時に行われる請求項１に記載のシート姿勢変更装置。
【請求項５】
前記シートの着座姿勢から前記シートの格納姿勢への移行制御の開始時に、前記シートクッションのシートクッション着座位置からシートクッション格納位置への変位が前記シートバックのシートバック着座位置からシートバック格納位置への変位に先立って行われる請求項１に記載のシート姿勢変更装置。
【請求項６】
前記シートクッションの変位と前記シートバックとの干渉を回避する条件のもとで前記シートクッションの変位と前記シートバックの変位とが同時に行われる区間を最大化するように、変位制御が行われる請求項１から５のいずれか一項に記載のシート姿勢変更装置。
【請求項７】
前記シートクッションの特定の変位位置と前記シートバックの特定の変位位置とにおいて前記シートクッションと前記シートバックとが干渉する干渉領域が制御マップ化されている請求項１から６のいずれか一項に記載のシート姿勢変更装置。
【発明の詳細な説明】
【技術分野】
【０００１】
本発明は、シートクッションとシートバックとを有する車両用シートの姿勢を変更するシート姿勢変更装置に関する。
【背景技術】
【０００２】
近年、自動車業界において、車両の大型化が進み、所謂１ＢＯＸカーといわれる車両の需要が高くなっている。この種の１ＢＯＸカーは、車室にシートを３列備えているものがある。この３列のシートは、１列目シート、２列目シート、３列目シートからなる。一般的に１列目シートは運転席及び助手席の各シートに相当し、２列目シートは前記１列目シートの後方のシートに相当し、３列目シートは最後方のシートに相当する。
【０００３】
このような３列目シートは、車両に多くの人を乗せる場合には着座スペースとして利用され、車室後方に位置する荷室の大きさを確保したい場合には当該３列目シートを折り畳んで収納スペースとして利用される。このように３列目シートを着座スペースや収納スペースとして利用する技術の一例として、下記に出典を示す特許文献１及び２に記載のものがある。
【０００４】
特許文献１に記載の車両用シートは、乗員の着座状態において着座部となるシートクッションと、当該着座状態において背もたれ部となるシートバックとを備えて構成される。この車両用シートは、乗員が着座する場合には使用（着座）位置に保持され、荷室の容量を確保する場合には格納位置に保持される。使用位置においては、シートクッションは乗員が着座可能な位置に保持され、シートバックはシートクッションに着座した乗員の背部を支持する起立位置に保持される。一方、格納位置においては、シートクッションは使用位置の後方下側に設定された格納位置に保持され、シートバックは格納位置に移動されたシートクッションの前方に並んで配置される前倒位置に保持される。
【０００５】
特許文献２に記載のシート装置では、起立状態である着座位置のシートバックと水平状態である着座位置のシートクッションとによってシートの着座姿勢が作り出される。さらに、シートクッションの上面に折り重なったシートバックとともにその使用位置の後方下側に移動したシートクッションによってシートの格納姿勢が作り出される。着座姿勢から格納姿勢に至るシート移動及び格納姿勢から着座姿勢に至るシート移動は、それぞれ独立して駆動されるシートクッションモータとシートバックモータによって行われる。
【先行技術文献】
【特許文献】
【０００６】
【特許文献１】特開２００８−２０７６３６号公報
【特許文献２】特開２００７−６２５０４号公報
【発明の概要】
【発明が解決しようとする課題】
【０００７】
車両の使用目的に応じて、特に荷室空間の使用目的に応じて、最適なシートアレンジメントに設定するため、着座姿勢から格納姿勢に至るシート移動及び格納姿勢から着座姿勢に至るシート移動は、モータを用いて迅速に行うことが要求されている。このため、特許文献２に記載のシート装置では、２つの独立的に駆動可能なモータを用いて、シートクッションの上面にシートバックを折り畳んだ状態でシートバックとシートクッションとを格納位置に移動させることで、シートの着座姿勢から格納姿勢への姿勢変更を完結させている。このように、シートクッションの上面にシートバックを折り畳むことでシートクッションとシートバックとが一体化した状態のシートを格納姿勢に移行させる場合は、比較的干渉の可能性が低いので、比較的自在にシートクッションとシートバックとの干渉のない移動軌跡を得ることができる。
しかしながら、特許文献１に記載の車両用シートのような構造では、シートクッションは着座位置と当該着座位置より車両後方領域に後下がりした状態の格納位置との間で変位可能であり、シートバックは起立状態となる着座位置とシートクッションの着座位置での存在領域に倒伏状態となる格納位置との間で変位可能である。さらに、着座位置でのシートクッションと前着座位置でのシートバックとによってシートの着座姿勢が作り出されるとともに、格納位置のシートクッションと格納位置のシートバックとによってシートの格納姿勢が作り出される。従って、シートの着座姿勢から格納姿勢への姿勢変更及びシートの格納姿勢から着座姿勢への姿勢変更の移動軌跡において比較的干渉の可能性が高いので、特許文献２で示されているようなモータ制御チャートをそのまま流用することができない。
【０００８】
本発明の目的は、上記問題に鑑み、着座位置とこの着座位置より車両後方領域に後下がり状態となる格納位置との間で変位するシートクッションと、起立状態となるシートバック着座位置と、シートクッションの着座位置での存在領域に倒伏状態となる格納位置との間で変位するシートバックとを構成要素とするシートにおいて、その着座姿勢と格納姿勢との間の姿勢変更のためのシート構成部材の移動において生じうる干渉を避けてできるだけ短時間でシート姿勢変更が完了する技術を提供することにある。
【課題を解決するための手段】
【０００９】
上記目的を達成するため、シートクッションとシートバックとを有する車両用シートの姿勢を変更する、本発明に係るシート姿勢変更装置では、前記シートクッションはシートクッション着座位置と前記シートクッション着座位置より車両後方領域に後下がり状態となるシートクッション格納位置との間で変位制御可能であり、前記シートバックは、起立状態となるシートバック着座位置と、前記シートクッション着座位置での前記シートクッションの存在領域に倒伏状態となるシートバック格納位置との間で変位制御可能であり、前記シートクッション着座位置でのシートクッションと前記シートバック着座位置でのシートバックとによって前記シートの着座姿勢が作り出されるとともに、前記シートクッション格納位置のシートクッションと前記シートバック格納位置のシートバックとによって前記シートの格納姿勢が作り出され、前記シートの着座姿勢から前記シートの格納姿勢への移行制御または前記シートの格納姿勢から前記シートの着座姿勢への移行制御が、前記シートクッションと前記シートバックとの干渉が回避されるように、前記シートクッションと前記シートバックとの同時変位を含む変位制御が行われる。
【００１０】
このような特徴構成によれば、上述したような、シートクッションとシートバックとからなるシートの着座姿勢と格納姿勢との間の姿勢変更行程において、シートクッションとシートバックとが相互干渉する領域の存在が避けられないとしても、この干渉を回避しながらもシートクッションとシートバックとの同時変位が可能な行程を見つけ出してこれを実行することで、できるだけ短時間でシート姿勢変更が完了する。
【００１１】
本発明における、他の特徴構成では、前記シートの着座姿勢から前記シートの格納姿勢への移行制御の開始時に、前記シートバックのシートバック着座位置からシートバック格納位置への変位が前記シートクッションのシートクッション着座位置からシートクッション格納位置への変位に先立って行われる。これに類似する特徴構成として、前記シートの格納姿勢から前記シートの着座姿勢への移行制御の開始時に、前記シートバックのシートバック格納位置からシートバック着座位置への変位が前記シートクッションのシートクッション格納位置からシートクッション着座位置への変位に先立って行われる構成を採用することも可能である。このように、着座姿勢または格納姿勢でのシートにおいて、シートバックの着座位置または格納位置からの所定距離の変位が、シートクッションとシートバックとの干渉の恐れがないようなシート構成の場合、シート姿勢変更の最初にシートバックだけを変位させることが好適である。
【００１２】
もちろん、着座姿勢でのシートにおいて、その着座姿勢におけるシートクッションとシートバックの位置から、両者が干渉なしに所定距離の変位が可能である場合には、前記シートの着座姿勢から前記シートの格納姿勢への移行制御の開始時に、前記シートバックのシートバック着座位置からシートバック格納位置への変位と前記シートクッションのシートクッション着座位置からシートクッション格納位置への変位とが同時に行われるように変位制御することも好適である。
【００１３】
さらには、着座姿勢でのシートにおいて、シートクッションがシートの着座姿勢におけるシートクッション位置から、干渉なしに所定距離の変位が可能である場合には、前記シートの着座姿勢から前記シートの格納姿勢への移行制御の開始時に、前記シートクッションのシートクッション着座位置からシートクッション格納位置への変位が前記シートバックのシートバック着座位置からシートバック格納位置への変位に先立って行われるように変位制御することも好適である。
【００１４】
着座姿勢と格納姿勢との間のシート姿勢変更では、シートクッションとシートバックの双方がかなり大きな距離を変位（移動）しなければならないので、相互の干渉が回避される限りにおいて、シートクッションとシートバックとを同時に変位させることが、シート姿勢変更の所要時間短縮には好都合である。このため、本発明の別な特徴構成では、前記シートクッションと前記シートバックとの干渉を回避する条件のもとで前記シートクッションの変位と前記シートバックの変位とが同時に行われる区間を最大化するように、変位制御が行われる。
【００１５】
上述したような、シートクッションとシートバックとの干渉を回避しながら、シートクッション及びシートバックの最適な変位制御を行うためには、前記シートクッションの特定の変位位置と前記シートバックの特定の変位位置とにおいて前記シートクッションと前記シートバックとが干渉する干渉領域が制御マップ化されていることが望ましい。この干渉領域に関する制御マップを参照することで、シートクッションとシートバックとの干渉を確実に回避しながらも、できる限り短い移動軌跡をとるような同時変位制御が高い信頼性をもって可能となる。
【図面の簡単な説明】
【００１６】
【図１】シート姿勢変更装置を備えた車両を斜め後方から示した図である。
【図２】着座姿勢におけるシート及び格納姿勢におけるシートを示す側面図である。
【図３】シート姿勢変更装置に備えられた制御システムの概略構成を模式的に示したブロック図である。
【図４】シートが着座姿勢から格納姿勢に至るまでのシートクッションとシートバックとの変位過程を説明する説明図である。
【図５】シートが着座姿勢から格納姿勢に至るまでのシートクッションとシートバックとの変位過程の第１の変形例を説明する説明図である。
【図６】シートが着座姿勢から格納姿勢に至るまでのシートクッションとシートバックとの変位過程の第２の変形例を説明する説明図である。
【図７】シートが格納姿勢から着座姿勢に至るまでのシートクッションとシートバックとの変位過程を説明する説明図である。
【図８】シートが格納姿勢から着座姿勢に至るまでのシートクッションとシートバックとの変位過程の変形例を説明する説明図である。
【発明を実施するための形態】
【００１７】
以下、本発明に係わるシート姿勢変更装置の実施の形態を図面に基づいて説明する。
図１には、ミニバンないしは２ボックスカーと呼ばれる、車室に３列のシートを有している車両１が示されている。この図面では、車両１の左側面に備えられるスライドドア及び当該車両１の後側面に備えられるバックドアが開扉された状態となっている。３列のシートは、１列目シート２１、２列目シート２２、及び３列目シート２３からなる。１列目シート２１は運転席のシート及び助手席のシートが相当する。２列目シート２２は１列目シート２１の直後方のシートが相当する。３列目シート２３は車室内の最後方のシートが相当する。この実施の形態におけるシート姿勢変更装置は、３列目シート２３を構成している２つのシート３０の姿勢を変更するために適用されている。なお、以下のシート姿勢変更の説明では、説明を簡単にするため、１つのシート３０の姿勢変更を例としている。
【００１８】
シート３０には、その主要構成要素としてシートクッション３１とシートバック３２が含まれている。シートクッション３１は、その座面がほぼ水平面で乗員が２列シート２２の後方で適切にすわることができる車両前後位置をシートクッション着座位置と設定している。さらに、シートクッション３１は、シートクッション着座位置よりほぼシートクッション３１の車両前後方向長さ分だけ車両後方領域に後下がり状態となる格納位置とシートクッション着座位置との間で変位可能に設けられている。また、シートバック３２は、シートクッション着座位置でのシートクッション３１の存在領域に倒伏状態となる位置をシートクッション格納位置と設定している。さらに、シートバック３２は、シートクッション３１の後端領域で起立状態となるシートバック着座位置とシートクッション格納位置との間で変位可能に設けられている。
【００１９】
シート３０の着座姿勢は、着座位置でのシートクッション３１と同じく着座位置でのシートバック３２とによって作り出される。また、シート３０の格納姿勢は、格納位置でのシートクッション３１と格納位置でのシートバック３２とによって作り出される。シート３０の格納姿勢では、荷室空間が拡大され、大きな荷物の収納に適した状態となる。シート３０の着座姿勢では、３列のシートに乗員を乗せる多人数乗員に適した状態となる。
【００２０】
図２にはそのようなシート３０が図示されており、図２（ａ）はシート３０の着座姿勢を示す側面図であり、図２（ｂ）はシート３０の格納姿勢を示す側面図である。図２に図示されたシート３０では、シートクッション３１とシートバック３２だけでなく、各シートバック３２の頂部には、ヘッドレスト３３が取り付けられていることがよく理解できる。このヘッドレスト３３は、シート３０の着座姿勢においてシート３０に着座する乗員の頭部を車両後方に働く荷重から保護する機能を有する。
【００２１】
３列目シート２３を構成するシート３０の着座姿勢から格納姿勢への移行、または格納姿勢から着座姿勢への移行は、操作スイッチ１３を操作することにより行われる。この実施の形態では、操作スイッチ１３は、図１に示されるように、車室内における３列目シート２３の後方、即ち、荷室に配置されており、シート３０の姿勢を変更する意図を有するユーザにより操作される。もちろん、操作スイッチ１３はその他の箇所に配置してもよいし、複数の操作スイッチ１３を配置してもよい。
【００２２】
図３は、シート姿勢変更装置に備えられた制御システムの概略構成を模式的に示したブロック図である。この制御システムは、上述の操作スイッチ１３、シートクッション用モータ１４、シートバック用モータ１５、各モータの回転出力をパルス信号に変換して出力するパルス発生器１６、制御中核部としてのコントロールユニット４０などを構成要素としている。コントロールユニット４０には、操作スイッチ１３やパルス発生器１６などからの信号を入力し、シートバック用モータ１４やシートクッション用モータ１５などに制御信号を出力する。そのため、コントロールユニット４０には、パルス評価部４１やモータ制御部４２などの機能部がハードウェア又はソフトウェア或いはその両方で構築されている。パルス評価部４１は、パルス発生器１６からのパルス信号を評価してシートクッション３１やシートバック３２の位置を想定する機能を有する。モータ制御部４２は、パルス評価部４１によって想定されるシートクッション３１やシートバック３２の位置に基づいて、シートクッション用モータ１４、シートバック用モータ１５に制御信号を与える機能を有する。
【００２３】
この実施形態のシート姿勢変更装置では、シートクッション３１及びシートバック３２の位置の検出を行うための位置検出センサは備えられておらず、夫々の位置を変更するモータの回転に応じてパルス発生器１６から出力されるパルス信号に基づいて位置を特定している。このようなパルス信号のパルスをパルス評価部４１が評価、例えば計数する。パルス評価部４１は、シートバック用モータ１３及びシートクッション用モータ１４の回転に応じて出力されるパルス信号のパルス数を計数する。これにより、移動開始位置からの変位量（シートクッション３１及びシートバック３２の位置）を特定することが可能である。また、シートクッション３１及びシートバック３２が、機構上の端部（いわゆるメカ端点）に到達した場合には各パルス発生器１６から出力されるパルス信号のＨｉレベルが機構上の端部に到達していない状態における出力パルスに比べてＨｉ状態の時間が長くなるような構成となっている。したがって、パルス評価部４１は、パルス数を計数すると共に、各パルスのＨｉ状態の時間も算定している。パルス評価部４１により評価されたパルス数及びＨｉ状態の時間は、モータ制御部４２によるシートクッション用モータ１４及びシートバック用モータ１５の制御のために利用される。
【００２４】
なお必要の場合、シートクッション３１の位置とシートバック３２の位置との組み合わせにおけるシートクッション３１とシートバック３２との干渉領域を制御マップ化した干渉領域マップデータ４３もコントロールユニット４０内に設定される。例えば、シート３０の姿勢変更の開始姿勢が、変動する場合や、シートクッション用モータ１４やシートバック用モータ１５の速度が変動する場合などでは、干渉領域マップデータ４３を参照した、シートクッション３１やシートバック３２の位置に応じたモータ制御が可能となる。その際、例えば、シートクッション３１の変位とシートバック３２の変位とが同時に行われる区間を最大化するように、モータ制御が行われると、姿勢変更が最適化され、好都合である。
【００２５】
上述のように構成されたシート姿勢変更装置における、シート３０が着座姿勢から格納姿勢に至るまでのシート姿勢変更制御の一例を以下に説明する。図４は、シート３０が着座姿勢から格納姿勢に至るまでのシートクッション３１及びシートバック３２の着座位置から格納位置に至る変位過程の各段階での様子を線図と模式図とを組み合わせて示している説明図である。図4では、シートクッション３１の着座位置から格納位置を横軸、シートバック３２の着座位置から格納位置を縦軸とし、シートクッション３１の着座位置とシートバック３２の格納位置とを原点とする直交座標系が提示されている。シートの姿勢はシートクッション３１の位置とシートバック３２の位置とによって決定される。その際、特定の各位置の組み合わせにおいて相互の干渉が生じるが、その干渉領域が斜線で模式的に示されている。つまり、シートクッション３１とシートバック３２とは、この干渉領域外の組み合わせ位置に限定される。
【００２６】
上記干渉領域に入ることなしに、つまり、シートクッション３１の変位とシートバック３２との干渉を回避する条件のもとで、シート３０を着座姿勢から格納姿勢への変更を効率的に行うため、本発明では、干渉領域を避けながらシートクッション３１とシートバック３２との同時に変位する行程を見つけ出して、その同時変位を実行している。図４において、シートクッション３１とシートバック３２との動きは太い矢印線で示されているが、斜めに延びる矢印線が同時変位区間を示す。これから明らかなように、斜めの矢印線で表される同時変位を採用することで、シートクッション３１だけまたはシートバック３２だけをシーケンシャルに変位させている行程に較べ、移動距離が短くなり効率的となる。従って、その同時変位を行う行程区間が最大となるように制御することが好適である。
【００２７】
図４の例では、まずシートクッション３１とシートバック３２とがともに着座位置であるシート３０の着座姿勢が制御始動点となっている（＃０１）。シート３０の着座姿勢から格納姿勢への姿勢変更制御が開始されると、まずシートバック用モータ１５が駆動し、シートバック３２が前方に回動する（＃０２）。シートバック用モータ１５が所定回転量だけ駆動することで、シートバック３２が所定量だけ回動傾斜すると、さらにシートクッション用モータ１４も駆動する。これにより、シートバック３２の前方への回動と、シートクッション３１の後方への移動が同時に行われる同時変位が実施される（＃０３）。所定量の同時変位が実施され、シートクッション３１がそのシートクッション格納位置に達すると、シートクッション用モータ１４が停止して、再びシートバック用モータ１５だけの駆動となり、さらにシートバック３２が前方に回動する（＃０４）。シートバック３２もそのシートバック格納位置に達すると、シート３０の格納姿勢が作り出されたことになるので、シートバック用モータ１５が停止して、この姿勢変更制御が終了する（＃０５）。
【００２８】
なお、ヘッドレスト３３は、ここでは詳しく述べないが、図示されていないモータによって姿勢変更制御中にシートバック３２とともに床面側に倒れるように（前倒しの畳み込みとなるように）変位する構成を採用してもよい。あるいは、シートバック３２の回動機構にリンク機構を組み込み、このリンク機構を通じてシートバック３２を前方に回動させる回転変位をヘッドレスト３３の畳み込み変位に利用してもよい。
【００２９】
本発明によるシート姿勢変更装置では、シート３０の着座姿勢から格納姿勢に至るまでのシート姿勢変更行程において、シートクッション３１とシートバック３２との同時に変位する同時変位区間が含まれていることが重要な条件である。従って、この条件を満たす限りにおいても、特に干渉領域の形状によっては図４で示されたものとは異なるシート姿勢変更行程が考慮される。
【００３０】
例えば、図５にシート３０が着座姿勢から格納姿勢に至るまでのシートクッション３１とシートバック３２との変位過程の第１の変形例が示されている。この第１の変形例では、シートクッション３１とシートバック３２とがともに着座位置であるシート３０の着座姿勢を制御始動点として（＃１１）、シート３０の格納姿勢への姿勢変更制御が開始されると、シートバック用モータ１５とシートクッション用モータ１４の両方が駆動する。これにより、最初からシートバック３２の前方への回動と、シートクッション３１の後方への移動が同時に行われる同時変位が実施される（＃１２）。この同時変位によってシートクッション３１がそのシートクッション格納位置に達するとともにシートバック３２が所定量だけ回動傾斜すると、シートバック用モータ１５が停止して、シートバック用モータ１５だけの駆動となり、さらにシートバック３２が前方に回動する（＃１３）。最終的にシートバック３２がそのシートバック格納位置に達すると、シート３０の格納姿勢が作り出されたことになるので、シートバック用モータ１５が停止して、この姿勢変更制御が終了する（＃１４）。
【００３１】
さらに、図６にシート３０が着座姿勢から格納姿勢に至るまでのシートクッション３１とシートバック３２との変位過程の第２の変形例が示されている。この第２の変形例では、シートクッション３１とシートバック３２とがともに着座位置であるシート３０の着座姿勢を制御始動点として（＃２１）、シート３０の格納姿勢への姿勢変更制御が開始されると、まずシートクッション用モータ１４が駆動し、シートクッション３１が後方に移動する（＃２２）。シートクッション用モータ１４が所定回転量だけ駆動することで、シートクッション３１が所定量だけ後方移動すると、さらにシートバック用モータ１５も駆動する。これにより、シートクッション３１の後方への移動とシートバック３２の前方への回動とが同時に行われる同時変位が実施される（＃２３）。所定量の同時変位が実施され、シートクッション３１がそのシートクッション格納位置に達すると、シートクッション用モータ１４が停止して、シートバック用モータ１５だけの駆動となり、さらにシートバック３２が前方に回動する（＃２４）。シートバック３２もそのシートバック格納位置に達すると、シート３０の格納姿勢が作り出されたことになるので、シートバック用モータ１５が停止して、この姿勢変更制御が終了する（＃０５）。
【００３２】
次に、シート３０が格納姿勢から着座姿勢に至るまでのシート姿勢変更制御の一例を図７を用いて説明する。
図７の例では、まずシートクッション３１とシートバック３２とがともに格納位置であるシート３０の格納姿勢が制御始動点となっている（＃３１）。シート３０の格納姿勢から着座姿勢への姿勢変更制御が開始されると、まずシートバック用モータ１５が駆動し、シートバック３２が後方、つまり起立方向に回動する（＃３２）。シートバック用モータ１５が所定回転量だけ駆動することで、シートバック３２が所定量だけ回動起立すると、さらにシートクッション用モータ１４も駆動する。これにより、シートバック３２の起立方向への回動と、シートクッション３１の前方への移動が同時に行われる同時変位が実施される（＃３３）。所定量の同時変位が実施され、シートクッション３１がそのシートクッション着座位置に達すると、シートクッション用モータ１４が停止して、再びシートバック用モータ１５だけの駆動となり、さらにシートバック３２が起立方向に回動する（＃３４）。シートバック３２もそのシートバック着座位置に達すると、シート３０の着座姿勢が作り出されたことになるので、シートバック用モータ１５が停止して、この姿勢変更制御が終了する（＃３５）。
【００３３】
この格納姿勢から着座姿勢に至るシート姿勢変更制御においても、特に干渉領域の形状によっては図７で示されたものとは異なるシート姿勢変更行程を考慮することができる。例えば、図８にシート３０が格納姿勢から着座姿勢に至るまでの姿勢変更の変形例が示されている。この変形例でも、制御始動点であるシート３０の格納姿勢（＃４１）から着座姿勢への姿勢変更制御が開始されると、まずシートバック用モータ１５が駆動し、シートバック３２が後方、つまり起立方向に回動する（＃４２）。シートバック用モータ１５が所定回転量だけ駆動することで、シートバック３２が所定量だけ回動起立すると、さらにシートクッション用モータ１４も駆動する。これにより、シートバック３２の起立方向への回動と、シートクッション３１の前方への移動が同時に行われる同時変位が実施される（＃４３）。所定量の同時変位が実施され、シートバック３２がそのシートバック着座位置に達すると、シートバック用モータ１５が停止して、シートクッション用モータ１４だけの駆動となり、さらにシートクッション３１が前方に移動する（＃４４）。シートクッション３１もシートクッション着座位置に達すると、シート３０の着座姿勢が作り出されたことになるので、シートクッション用モータ１４が停止して、この姿勢変更制御が終了する（＃４５）。
【００３４】
〔その他の実施形態〕
上記実施形態では、シートバック３２やシートクッション３１を変位させるためのアクチュエータがモータであるとして説明した。しかしながら、本発明の適用範囲はこれに限定されるものではない。例えば、モータ以外のアクチュエータを用いることも当然に可能である。係る場合には、モータ制御部４２はアクチュエータ制御部としてアクチュエータの制御に適したものに変更される。
【符号の説明】
【００３５】
１４：シートクッション用モータ
１５：シートバック用モータ
３０：シート
３１：シートクッション
３２：シートバック
４０：コントロールユニット
４１：パルス評価部
４２：モータ制御部
４３：干渉領域マップデータ
【図１】
2011042294.tif 000003
【図２】
2011042294.tif 000004
【図３】
2011042294.tif 000005
【図４】
2011042294.tif 000006
【図５】
2011042294.tif 000007
【図６】
2011042294.tif 000008
【図７】
2011042294.tif 000009
【図８】
2011042294.tif 000010